(57)【要約】【課題】カテーテルシステムのためのバルブアセンブリを提供すること。【解決手段】カテーテルアセンブリと共に用いるためのバルブアセンブリであって、カテーテルアセンブリと流体係合するように適合されたバルブハウジングと、バルブハウジング内に少なくとも部分的に配置され、かつ、バルブ通路を画定するバルブ部材と、該バルブハウジングに搭載され、かつ、該バルブ部材に動作可能なように連結された作動機構とを含む、バルブアセンブリ。【選択図】図１
2010082456.tif 000002
【特許請求の範囲】
【請求項１】
カテーテルアセンブリと共に用いるためのバルブアセンブリであって、
カテーテルアセンブリと流体係合するように適合されたバルブハウジングであって、該バルブハウジングは、長手軸を画定し、かつ、該カテーテルアセンブリに対して流体が流れるようにする内部通路を有する、バルブハウジングと、
バルブハウジング内に少なくとも部分的に配置され、かつ、バルブ通路を画定するバルブ部材であって、該バルブ部材は、該バルブハウジング内で、該バルブハウジングの該内部通路と略整列することにより該バルブハウジングを通って流体が流れることを可能にする開位置と、該バルブハウジングの該内部通路を実質的に閉塞する閉位置との間で動くように適合されている、バルブ部材と、
該バルブハウジングに搭載され、かつ、該バルブ部材に動作可能なように連結された作動機構であって、該作動機構は、略長手方向に選択的に動くことにより該開位置と該閉位置との間での該バルブ部材の対応する動きを引き起こす、作動機構と
を含む、バルブアセンブリ。
【請求項２】
前記バルブ部材は、前記バルブハウジング内で回転可能なように動くことにより、該バルブハウジングの前記開位置と前記閉位置との間で動くように適合されている、請求項１に記載のバルブアセンブリ。
【請求項３】
前記バルブ部材の前記バルブ通路は、該バルブ部材の前記閉位置にあるときに、前記バルブハウジングの前記内部通路に対して略不整列される、請求項１または２に記載のバルブアセンブリ。
【請求項４】
前記バルブ部材は、略球状を画定する、請求項１、２または３に記載のバルブアセンブリ。
【請求項５】
前記作動機構は、前記バルブハウジングに対して、前記バルブ部材の前記開位置に対応する第１の位置と、該バルブ部材の前記閉位置に対応する第２の位置との間で動くことが可能である、請求項１〜４のいずれか一項に記載のバルブアセンブリ。
【請求項６】
前記作動機構は、該作動機構の前記第１の位置と前記第２の位置とのうちの少なくとも１つにあるときに、前記バルブハウジングに対して解放可能なようにロックされるように適合されている、請求項５に記載のバルブアセンブリ。
【請求項７】
前記バルブハウジングは、カンチレバー部材を含み、該カンチレバー部材は、前記作動機構と動作可能なように係合することにより、該作動機構の前記第１の位置と前記第２の位置とのうちの１つに、該作動機構を選択的に解放可能なように固定する、請求項５または６に記載のバルブアセンブリ。
【請求項８】
前記作動機構に対して搭載された解放部材であって、選択的に動くことにより、前記カンチレバー部材の対応する動きを引き起こし、かつ、該カンチレバー部材と該作動機構との動作可能な係合を解放し、それにより、該作動機構が動くことを可能にする解放部材
を含む、請求項７に記載のバルブアセンブリ。
【請求項９】
前記カンチレバー部材は、前記作動機構に対して該カンチレバー部材の固定状態に対応する位置へと通常付勢される、請求項７または８に記載のバルブアセンブリ。
【請求項１０】
前記カンチレバー部材は、前記解放部材が動くと、前記作動機構に対して前記固定状態から非固定状態へと旋回し、それにより、該作動機構が動くことを可能にするように適合されている、請求項８または９に記載のバルブアセンブリ。
【請求項１１】
前記作動機構は、該作動機構の前記第１位置と前記第２の位置との各々にあるときに、前記バルブハウジングに対して解放可能なようにロックされるように適合されている、請求項５〜１０のいずれか一項に記載のバルブアセンブリ。
【請求項１２】
第１のカンチレバー部材と第２のカンチレバー部材とを含み、
該第１のカンチレバー部材は、前記作動機構を該作動機構の前記第１の位置に解放可能なように固定するように適合されており、
該第２のカンチレバー部材は、該作動機構を該作動機構の前記第２の位置に解放可能なように固定するように適合されている、請求項５〜１１のいずれか一項に記載のバルブアセンブリ。
【請求項１３】
前記第１のカンチレバー部材と前記第２のカンチレバー部材との各々は、前記解放部材が動くと、前記作動機構に対して非固定状態に旋回するように適合されている、請求項１２に記載のバルブアセンブリ。
【請求項１４】
前記解放部材は、前記カンチレバー部材の前記固定状態に対応する該解放部材の非作動位置に通常付勢される、請求項８〜１３のいずれか一項に記載のバルブアセンブリ。
【請求項１５】
前記バルブハウジングは、前記カテーテルアセンブリに対する連結に適合されたカップリングを含む、請求項１〜１４のいずれか一項に記載のバルブアセンブリ。
【発明の詳細な説明】
【技術分野】
【０００１】
（技術分野）
本開示は、カテーテルシステムのためのバルブアセンブリに関する。より詳細には、本開示は、ボールバルブ（ｂａｌｌ−ｖａｌｖｅ）を回転させることにより、アセンブリ内の流体通路を開いたり閉じたりするための線形作動機構を含む、バルブアセンブリに関する。
【背景技術】
【０００２】
（関連技術の背景）
アクセスカテーテルは、単一の管腔、デュアル管腔、または、マルチ管腔であり得、透析および収尿を含む様々な処置のために用いられ得る。カテーテルの本体は、患者と動作可能なように係合するように設計されており、遠位端または外端は、各管腔に対する延長部を含む。これらの延長部を可撓性チューブから作成し、その結果、そのチューブが身体外部で操作されたり、外科用包帯を用いて任意の都合の良い位置に保持されたりすることを可能にすることは一般的である。チューブは、一般的に、自由端においてルアーロックコネクタを担持し、そのようなルアーロックコネクタは、流体ラインへの取り付けのためのものであり、そして、その後カテーテルが用いられないときに管腔を閉鎖および密封するためのものである。これらのコネクタは機能しなくなる傾向を有するので、クランプを延長部の各々の上に配置することにより、チューブを変形させたり、第２の閉鎖機構として機能させたりすることもまた一般的である。
【０００３】
可撓性チューブおよびクランプは、いくつかの理由のために、アクセスカテーテルにおいて用いるには不十分である。最も深刻な問題は、クランプがピンチ動作を介してチューブを閉じるので、クランプが非常に長い時間にわたって所定の位置に置かれた場合、クランプが解放されたときに、チューブが復元しないことがあり得るということである。チューブにおいて生じる襞は、流れの問題を引き起こし、極端な場合では、カテーテルは、チューブがもはや開存しないことが理由で、除去されなければならない。この問題は、ポリ塩化ビニル（ＰＶＣ）またはポリウレタン（ＰＵ）から作成される熱可塑性のチューブ延長部を有するカテーテルにおいて最も一般的である。
【０００４】
チューブをピンチ留めするために用いられるクランプが正確に整列されない限り、クランプは、小さな衝撃によってチューブを脱係合し得る。さらに、従来のクランプは、チューブに襞を形成するために必要な鋭いエッジを有する傾向がある。これらの鋭いエッジは、特にシリコンラバーのチューブが用いられるときに、チューブを切断および／または剪断する結果を招き得る。
【発明の概要】
【発明が解決しようとする課題】
【０００５】
したがって、カテーテルまたはチューブに損傷を与えることなくカテーテルを通る流体を調整するための少なくとも１つの作動機構を含むアクセスカテーテルにおいて用いるためのバルブアセンブリに対する継続的な需要が存在する。
【課題を解決するための手段】
【０００６】
カテーテルアセンブリと共に用いるためのバルブアセンブリが提供される。バルブアセンブリは、カテーテルアセンブリと流体係合（ｆｌｕｉｄ  ｅｎｇａｇｅｍｅｎｔ）するように適合されたバルブハウジングであって、バルブハウジングは、長手軸を画定し、かつ、カテーテルアセンブリに対して流体が流れるようにする内部通路を有する、バルブハウジングと、バルブハウジング内に少なくとも部分的に配置され、かつ、バルブ通路を画定するバルブ部材であって、バルブ部材は、バルブハウジング内で、バルブハウジングの内部通路と略整列（ｇｅｎｅｒａｌｌｙ  ａｌｉｇｎｅｄ）することによりバルブハウジングを通って流体が流れることを可能にする開位置と、バルブハウジングの内部通路を実質的に閉塞する閉位置との間で動くように適合されている、バルブ部材と、バルブハウジングに搭載され、かつ、バルブ部材に動作可能なように連結された作動機構であって、作動機構は、略長手方向に選択的に動くことにより開位置と閉位置との間でのバルブ部材の対応する動きを引き起こす、作動機構とを含む。
【０００７】
バルブ部材は、バルブハウジング内で回転可能なように動くことにより、バルブハウジングの開位置と閉位置との間で動くように適合され得る。バルブ部材のバルブ通路は、バルブ部材の閉位置にあるときに、バルブハウジングの内部通路に対して略不整列（ｇｅｎｅｒａｌｌｙ  ｍｉｓａｌｉｇｎｅｄ）され得る。バルブ部材は、略球状を画定し得る。作動機構は、バルブハウジングに対して、バルブ部材の開位置に対応する第１の位置と、バルブ部材の閉位置に対応する第２の位置との間で動くことが可能であり得る。作動機構は、作動機構の第１の位置と第２の位置とのうちの少なくとも１つにあるときに、バルブハウジングに対して解放可能なようにロックされるように適合され得る。
【０００８】
バルブハウジングは、カンチレバー部材をさらに含み得、カンチレバー部材は、作動機構と動作可能なように係合することにより、作動機構の第１の位置と第２の位置とのうちの１つに、作動機構を選択的に解放可能なように固定し得る。解放部材が作動機構に対して搭載され得、解放部材は、選択的に動くことにより、カンチレバー部材の対応する動きを引き起こし、かつ、カンチレバー部材と作動機構のロック部材との動作可能な係合を解放し、それにより、作動機構が動くことを可能にする。解放部材は、作動機構に対してカンチレバー部材の固定状態に対応する位置へと通常付勢され得る。ロック部材は、カンチレバー部材を係合し得、カンチレバー部材は、解放部材が動くと、作動機構に対して固定状態から非固定状態へと旋回し、それにより、作動機構が動くことを可能にするように適合されている。
【０００９】
作動機構は、作動機構の第１位置と第２の位置との各々にあるときに、バルブハウジングに対して解放可能なようにロックされるように適合され得る。バルブアセンブリは、第１のカンチレバー部材と第２のカンチレバー部材とを含み得、第１のカンチレバー部材は、作動機構を作動機構の第１の位置に解放可能なように固定するように適合され得、第２のカンチレバー部材は、作動機構を作動機構の第２の位置に解放可能なように固定するように適合され得る。第１のカンチレバー部材と第２のカンチレバー部材との各々は、解放部材が動くと、作動機構に対して非固定状態に旋回するように適合され得る。解放部材は、カンチレバー部材の固定状態に対応する解放部材の非作動位置へと通常付勢され得る。バルブハウジングは、カテーテルアセンブリに連結するように適合されたカップリングを含み得る。
【００１０】
カテーテルアセンブリと共に用いるためのバルブアセンブリの別の実施形態もまた提供される。バルブアセンブリは、カテーテルアセンブリと流体係合するように適合されたバルブハウジングであって、バルブハウジングは、長手軸を画定し、かつ、カテーテルアセンブリに対して流体が流れるようにするための内部通路を有する、バルブハウジングと、バルブハウジング内に少なくとも部分的に配置され、かつ、バルブ通路を画定するバルブ部材であって、バルブ部材は、バルブハウジング内で、バルブハウジングの内部通路と略整列することによりバルブハウジングを通って流体が流れることを可能にする開位置と、バルブハウジングの内部通路を実質的に閉塞する閉位置との間で動くように適合されている、バルブ部材と、バルブハウジングに搭載され、かつ、バルブ部材に動作可能なように連結された作動機構であって、作動機構は、バルブ部材の開位置に対応する第１の位置とバルブ部材の閉位置に対応する第２の位置との間で選択的に動くことが可能であり、作動機構は、作動機構の第１の位置と第２の位置との少なくとも１つにあるときに、バルブハウジングに対して解放可能なようにロックされるように適合されている。
【００１１】
作動機構は、作動機構の第１の位置と第２の位置との各々に解放可能なようにロックされるように適合され得る。バルブハウジングは、第１のカンチレバー部材と第２のカンチレバー部材とを含み得、第１のカンチレバー部材は、作動機構を作動機構の第１の位置に解放可能なように固定するように適合され得、第２のカンチレバー部材は、作動機構を作動機構の第２の位置に解放可能なように固定するように適合されている。
【００１２】
解放部材は、作動機構に対して搭載され、かつ、選択的に動くことにより、第１のカンチレバー部材と第２のカンチレバー部材とのうちの１つの対応する動きを引き起こし、第１のカンチレバー部材と第２のカンチレバー部材とのうちの１つと作動機構との解放を引き起こし、それにより、作動機構が動くことを可能にし得る。第１のカンチレバー部材と第２のカンチレバー部材とは、解放部材が動くと、作動機構に対して固定状態から非固定状態へと旋回し、それにより、作動機構が動くことを可能にし、各カンチレバー部材が、固定状態へと通常付勢されることを可能にするように適合されている。
【００１３】
本明細書の一部に組み込まれ、そして本明細書の一部を構築する添付の図面は、上記の本開示の一般的な説明とともに、さらに以下で与えられる実施形態の詳細な説明とともに、本開示の原理を説明するために役立つ。
【００１４】
本発明は、さらに以下の手段を提供する。
（項目１）  
カテーテルアセンブリと共に用いるためのバルブアセンブリであって、
カテーテルアセンブリと流体係合するように適合されたバルブハウジングであって、該バルブハウジングは、長手軸を画定し、かつ、該カテーテルアセンブリに対して流体が流れるようにする内部通路を有する、バルブハウジングと、
バルブハウジング内に少なくとも部分的に配置され、かつ、バルブ通路を画定するバルブ部材であって、該バルブ部材は、該バルブハウジング内で、該バルブハウジングの該内部通路と略整列することにより該バルブハウジングを通って流体が流れることを可能にする開位置と、該バルブハウジングの該内部通路を実質的に閉塞する閉位置との間で動くように適合されている、バルブ部材と、
該バルブハウジングに搭載され、かつ、該バルブ部材に動作可能なように連結された作動機構であって、該作動機構は、略長手方向に選択的に動くことにより該開位置と該閉位置との間での該バルブ部材の対応する動きを引き起こす、作動機構と
を含む、バルブアセンブリ。
（項目２）  
上記バルブ部材は、上記バルブハウジング内で回転可能なように動くことにより、該バルブハウジングの上記開位置と上記閉位置との間で動くように適合されている、上記項目に記載のバルブアセンブリ。
（項目３）  
上記バルブ部材の上記バルブ通路は、該バルブ部材の上記閉位置にあるときに、上記バルブハウジングの上記内部通路に対して略不整列される、上記項目のいずれか一項に記載のバルブアセンブリ。
（項目４）  
上記バルブ部材は、略球状を画定する、上記項目のいずれか一項に記載のバルブアセンブリ。
（項目５）  
上記作動機構は、上記バルブハウジングに対して、上記バルブ部材の上記開位置に対応する第１の位置と、該バルブ部材の上記閉位置に対応する第２の位置との間で動くことが可能である、上記項目のいずれか一項に記載のバルブアセンブリ。
（項目６）  
上記作動機構は、該作動機構の上記第１の位置と上記第２の位置とのうちの少なくとも１つにあるときに、上記バルブハウジングに対して解放可能なようにロックされるように適合されている、上記項目のいずれか一項に記載のバルブアセンブリ。
（項目７）  
上記バルブハウジングは、カンチレバー部材を含み、該カンチレバー部材は、上記作動機構と動作可能なように係合することにより、該作動機構の上記第１の位置と上記第２の位置とのうちの１つに、該作動機構を選択的に解放可能なように固定する、上記項目のいずれか一項に記載のバルブアセンブリ。
（項目８）  
上記作動機構に対して搭載された解放部材であって、選択的に動くことにより、上記カンチレバー部材の対応する動きを引き起こし、かつ、該カンチレバー部材と該作動機構との動作可能な係合を解放し、それにより、該作動機構が動くことを可能にする解放部材
を含む、上記項目のいずれか一項に記載のバルブアセンブリ。
（項目９）  
上記カンチレバー部材は、上記作動機構に対して該カンチレバー部材の固定状態に対応する位置へと通常付勢される、上記項目のいずれか一項に記載のバルブアセンブリ。
（項目１０）  
上記カンチレバー部材は、上記解放部材が動くと、上記作動機構に対して上記固定状態から非固定状態へと旋回し、それにより、該作動機構が動くことを可能にするように適合されている、上記項目のいずれか一項に記載のバルブアセンブリ。
（項目１１）  
上記作動機構は、該作動機構の上記第１位置と上記第２の位置との各々にあるときに、上記バルブハウジングに対して解放可能なようにロックされるように適合されている、上記項目のいずれか一項に記載のバルブアセンブリ。
（項目１２）  
第１のカンチレバー部材と第２のカンチレバー部材とを含み、
該第１のカンチレバー部材は、上記作動機構を該作動機構の上記第１の位置に解放可能なように固定するように適合されており、
該第２のカンチレバー部材は、該作動機構を該作動機構の上記第２の位置に解放可能なように固定するように適合されている、上記項目のいずれか一項に記載のバルブアセンブリ。
（項目１３）  
上記第１のカンチレバー部材と上記第２のカンチレバー部材との各々は、上記解放部材が動くと、上記作動機構に対して非固定状態に旋回するように適合されている、上記項目のいずれか一項に記載のバルブアセンブリ。
（項目１４）
上記解放部材は、上記カンチレバー部材の上記固定状態に対応する該解放部材の非作動位置に通常付勢される、上記項目のいずれか一項に記載のバルブアセンブリ。
（項目１５）
上記バルブハウジングは、上記カテーテルアセンブリに対する連結に適合されたカップリングを含む、上記項目のいずれか一項に記載のバルブアセンブリ。
【００１５】
（摘要）
カテーテルアセンブリと共に用いるためのバルブアセンブリが提供される。バルブアセンブリは、カテーテルアセンブリと流体係合するように適合されたバルブハウジングであって、バルブハウジングは、長手軸を画定し、かつ、カテーテルアセンブリに対して流体が流れるようにするための内部通路を有する、バルブハウジングと、バルブハウジング内に少なくとも部分的に配置され、かつ、バルブ通路を画定するバルブ部材であって、バルブ部材は、バルブハウジング内で、バルブハウジングの内部通路と略整列することによりバルブハウジングを通って流体が流れることを可能にする開位置と、バルブハウジングの内部通路を実質的に閉塞する閉位置との間で動くように適合されている、バルブ部材と、バルブハウジングに搭載され、かつ、バルブ部材に動作可能なように連結された作動機構であって、作動機構は、略長手方向に選択的に動くことにより開位置と閉位置との間でのバルブ部材の対応する動きを引き起こす、作動機構とを含む。
【図面の簡単な説明】
【００１６】
【図１】図１は、本開示に従う、バルブアセンブリの実施形態を含むカテーテルアセンブリの斜視図である。
【図２Ａ】図２Ａは、第１状態または開状態における、図１のカテーテルアセンブリのバルブアセンブリの部分断面側面図である。
【図２Ｂ】図２Ｂは、図２Ａのバルブアセンブリの上面図である。
【図３】図３は、解放部材が押された状態の図２Ａおよび２Ｂのバルブアセンブリの部分断面側面図である。
【図４Ａ】図４Ａは、第２状態または閉状態における図２Ａ−３のバルブアセンブリの部分断面側面図である。
【図４Ｂ】図４Ｂは、図４Ａのバルブアセンブリの上面図である。
【図５】図５は、第１状態または開状態における、本開示に従うバルブアセンブリの代替の実施形態の部分断面側面図である。
【図６】図６は、解放部材が押された状態の図５のバルブアセンブリの部分断面側面図である。
【図７】図７は、中間状態における図５および６のバルブアセンブリの部分断面側面図である。
【図８】図８は、第２状態または閉状態における図５−７のバルブアセンブリの部分断面側面図である。
【発明を実施するための形態】
【００１７】
（詳細な説明）
まず、図１を参照すると、本開示の一実施形態に従うバルブアセンブリを含むカテーテルアセンブリが、概してカテーテルアセンブリ５として示される。概略すると、カテーテルアセンブリ５は、第１の端部にデュアル管腔シャフト６と、反対の端部に一対の管状延長部１０、１２とを含む。管状延長部１０、１２は、シャフト６に流体連結され、それぞれコネクタ１１、１３を含み、バルブアセンブリ１００、１００ａを含む。本開示の実施形態は、カテーテルアセンブリ５に関連するように説明されるが、本開示のバルブアセンブリは、カテーテルアセンブリ５と共に使用されることに限定されるように読み取られるべきではない。本開示の実施形態は、さまざまな流体システムとの使用のために修正され得ることが想定され、該流体システムは透析、収尿（ｕｒｉｎｅ  ｃｏｌｌｅｃｔｉｏｎ）、外部摂食および呼吸支援を含むがこれらに限定はされない。
【００１８】
さらに図１を参照すると、バルブアセンブリ１００、１００ａは、互いに実質的に同一であり、バルブアセンブリ１００を参照して説明される。ここで、図２Ａおよび２Ｂを参照すると、バルブアセンブリ１００は、バルブハウジング１１０と、バルブハウジング１１０に回転可能に受容されるバルブ部材１２０と、バルブハウジング１１０にスライド可能に据え付けられ、かつバルブ部材１２０と動作可能に係合される作動機構１３０とを含む。
【００１９】
図２Ａおよび２Ｂをさらに参照すると、バルブハウジング１１０は、第１および第２のハウジング半部材１１２ａ、１１２ｂを含む。ハウジング半部材１１２ａ、１１２ｂは、図２Ｂに示されるように鏡像の第１および第２の側１１２ａ、１１２ｂとして形成され得るか、またはハウジング１１０は、上部区画および下部区画２１２ａ、２１２ｂに分割され得る（図５）。ハウジング半部材１１２ａ、１１２ｂは、任意の従来の方法を用いて互いに取り付けられ、該従来の方法は、接着剤、グルー（ｇｌｕｅ）、化学結合、超音波溶接、スナップ嵌め接続および機械的ファスナを含む。ハウジング１１０は、長手軸「Ｘ」を画定し、近位端部１１０ａと、遠位端部１１０ｂと、それらの間の内部通路１１３とを含む。一実施形態において、近位端部および遠位端部１１０ａ、１１０ｂは、接続継ぎ手１１１ａ、１１１ｂを含む。代替の実施形態において、近位端部および／または遠位端部１１０ａ、１１０ｂは、カテーテルアセンブリ５内に一体化して形成され得る（図１）。
【００２０】
図２Ａおよび２Ｂをさらに参照すると、球状のカットアウト部分１１５は、バルブハウジング１１０の内部通路１１３に沿って形成される。カットアウト部分１１５は、バルブ部材１２０を受容するようにサイズおよび寸法が決められる。以下でさらに詳細に議論するように、バルブ部材１２０は、ボールバルブ１２２の形態で、実質的に球状の部材を画定する。カットアウト部分１１５は、ボールバルブ１２２から延びるステム１２４の受容のために構成された開放性の上部端部１１５ａを含む。同様に以下にさらに詳細に議論されるように、カットアウト部分１１５の開放性の上部端部１１５ａの長さは、開位置（図２Ａ）から閉位置（図４Ａ）までボールバルブ１２２が移動しなければならない角度に依存する。回転の程度が小さくなればなるほど、開放性の上部端部１１５ａがより小さくなり得る。逆もまた正しく、ボールバルブ１２２を開閉するために必要とされる回転の程度が大きくなればなるほど、開放性の端部１１５ａは大きくならなければならない。
【００２１】
バルブハウジング１１０の上部表面１１０ｃは、作動機構１３０をスライド可能に受容するように構成されている。上部表面１１０ｃは、窪み部分１１７を画定する。窪み部分１１７は、作動機構１３０のロック部材１３２を動作可能に係合するために、窪み部分１１７の長さに沿って延びる向かい合うレールまたは溝１１７ａを含む。溝１１７ａは、ロック部材１３２上に形成されたタブ１３３を受容するように構成されている。溝１１７ａは、窪み部分１１７の長さを延長し、ロック部材１３２が第１のロック位置（図２Ａ）から第２のロック位置（図４Ａ）まで、窪み部分１１７の長さを横断し得るように構成される。窪み部分１１７は、向かい合うカンチレバー部材１１８、１１９をさらに含む。カンチレバー部材１１８、１１９は、ハウジング半部材１１２ａ、１１２ｂのうちの一方または両方に形成され得、窪み部分１１７の幅を延長し得る。カンチレバー部材１１８、１１９は、ハウジング１１０にしっかりと取り付けられた内側第１端部１１８ａ、１１９ａをそれぞれ含み、外側第２端部１１８ｂ、１１９ｂをそれぞれ含み、これらの端部はハウジング１１０に沿って、間隔を空けて延びている。外側第２端部１１８ｂ、１１９ｂはハウジング１１０に対して曲げられている。この態様において、外側第２端部１１８ｂ、１１９ｂは、ロック部材１３２の第１の区画１３４上に形成された係合表面１３４ｂを選択的に係合するように構成されている。
【００２２】
上記のように図２Ａを概略的に参照すると、バルブ部材１２０はボールバルブ１２２を含み、ボールバルブ１２２はそこから延びるステム１２４を有する。ボールバルブ１２２は、バルブハウジング１１０のカットアウト１１５内に受容されるようにサイズおよび寸法が決定される。ボールバルブ１２２がカットアウト１１５内に受容されるとき、ステム１２４が、開放性の上部端部１１５ａを通って延び、ロック部材１３２の第２の区画１３６内に形成された窪み１３６ａに係合する。ボールバルブ１２２は、バルブアセンブリ１００が第１位置または開位置（図２Ａ）にあるとき、バルブハウジング１１０の内部通路１１３と整列して、バルブアセンブリ１００を通る流体の流れ（図示せず）を可能にするように構成された経路１２３を画定する。カットアウト１１５の上部開放性端部１１５ａ内での矢印「Ａ」の方向へのステム１２４の前進は、ボールバルブ１２２の回転を引き起こし、結果として経路１２３および内部通路１１３を整列していない状態にする。上記したように、カットアウト１１５の開放性の上部端部１１５ａは、経路１２３および内部通路１１３が完全に整列している第１の位置（図２Ａ）から、経路１２３および内部通路１１３が完全に整列していない第２の位置（図４Ａ）までのボールバルブ１２２の回転を引き起こすように、ステム１２４の前進を可能にするために十分な長さである。
【００２３】
ボールバルブ１２２の直径および経路１２３は、経路１２３および内部通路１１３の完全に整列していない状態を確実にするために、ステム１２４が移動しなければならない直線距離を決定する。例えば、ボールバルブ１２２が直径１０ミリメートル（１０ｍｍ）であり、経路１２３が直径５ミリメートル（５ｍｍ）である場合には、ステム１２４は、ボールバルブ１２２を第１の位置から第２の位置まで回転させるために、５．８ミリメートル（５．８ｍｍ）移動するか、または６０度（６０°）の回転を介することが必要である。ボールバルブ１２２の直径を約７ミリメートル（約７ｍｍ）に低減して、一方で経路１２３を５ミリメートル（５ｍｍ）に維持すると、７ミリメートル（７ｍｍ）のステム１２４の最小直線移動距離が必要とされるか、または９０度（９０°）の回転を介することが必要とされる。
【００２４】
図２Ａおよび２Ｂを参照すると、作動機構１３０は、ロック部材１３２と、解放部材１３８と、付勢部材１４０とを含む。作動機構１３０は、少なくとも第１位置または開位置（図２Ａ）から少なくとも第２位置または閉位置（図４Ｂ）まで、バルブハウジング１１０に対して選択的に配置されるように構成されている。一実施形態において、作動機構１３０は、臨床医の親指（図示せず）による係合のために構成されている。
【００２５】
ロック部材１３２は、第１および第２の区画１３４、１３６を含み、解放部材１３８の受容のためにこれらの区画の間に開口部１３５を画定する。第１および第２の区画１３４、１３６は、一体化して形成され得るか、またはその代わりに任意の従来の方法を用いて互いにしっかりと取り付けられ得、該任意の従来の方法は、接着剤、グルー、化学結合、超音波溶接、スナップ嵌め接続および機械的ファスナを含む。好適には、第１および第２の区画１３４、１３６は、解放部材１３８がそれらの間で受容されるまで接続されない。第１の区画１３４は、臨床医による動作可能な係合に対して構成されている窪み部分１３４ａを画定する。第１の区画１３４は、作動機構１３０がそれぞれの第１の位置（図２Ａ）および第２の位置（図４Ａ）にあるとき、カンチレバー部材１１８、１１９の外側第２端部１１８ｂ、１１９ｂに係合するように構成された係合表面１３４ｂをさらに含む。複数の向かい合うタブ１３３（図２Ｂ）は、第１の区画１３４から外側に延び、バルブハウジング１１０の窪み部分１１７に形成された溝１１７ａ内で受容されるように構成されている。タブ１３３は、作動機構１３０が窪み部分１１７内でスライド可能に受容されることを可能にする。代替の実施形態において、タブ１３３は、第１の区画１３４の全長に沿って形成され得る。第２の区画１３６は、また溝１１７ａ内でスライド可能に受容されるように構成されているタブ（図示せず）を含み得ることが想定される。この態様において、第１および第２の区画１３４、１３６は、一体化して形成されることなしに、または従来の固定方法の使用によって、互いに対して維持される。第２の区画１３６は、バルブハウジング１１０のカットアウト１１５の開放性端部１１５ａを通って延びるボールバルブ１２２のステム１２４の端部を受容するように構成されている窪み１３６ａを含む。
【００２６】
図２Ａおよび２Ｂをさらに参照すると、解放部材１３８は、実質的に「Ｃ」形状の部材を画定し、該解放部材１３８は、臨床医によって押されるように構成されている係合表面１３８ａと、作動機構１３０がそれぞれの第１および第２の位置あるときに、バルブハウジング１１０上に形成されるカンチレバー部材１１８、１１９のそれぞれの外側第２端部１１８ｂ、１１９ｂを係合するように構成されている反対側の接触表面１３８ｂとを含む。解放部材１３８は、付勢部材１４０を受容するように構成されている窪み１３９をさらに含む。付勢部材１４０は、第２区画１３６と解放部材１３８の間に延び、解放部材１３８を第２区画１３６から離れるように付勢する。付勢部材１４０は、示されるようなバネの形態であり得るか、または代わりにカンチレバー、圧力シリンダもしくは他の付勢要素を含み得る。
【００２７】
バルブアセンブリ１００の動作が、ここで図２Ａ−４Ｂを参照して説明される。まず図２Ａおよび２Ｂを参照すると、第１状態または開状態においてバルブアセンブリ１００が示される。この開状態において、ボールバルブ１２２の経路１２３は、バルブハウジング１１０の内部通路１１３と完全に整列する。バルブアセンブリ１００が開状態にあるとき、第１の区画１３４の係合表面１３４ｂは、カンチレバー１１８の外側第２端部１１８ｂを係合することにより、作動機構１３０を第１の位置にロックされたままにする。
【００２８】
図３を参照すると、矢印「Ｂ」の方向への、解放部材１３８の係合表面１３８ａへの臨床医による下向きの圧力は、付勢部材１４０の圧縮、およびロック部材１３２の第２の区画１３６への解放部材１３８の接近を引き起こす。解放部材１３８の下向きの動きは、解放部材１３８の接触表面１３８ｂのカンチレバー１１８の外側第２端部１１８ｂとの係合を引き起こす。解放部材１３８のカンチレバー部材１１８との係合の継続は、カンチレバー部材１１８の外側第２端部１１８ｂを、第１の区画１３４の係合表面１３４ｂから離れるように曲げ、その係合を解除する。カンチレバー部材１１８の外側第２端部１１８ａによる係合表面１３４ｂの係合解除は、作動機構１３０のロックを解除し、作動機構１３０の直線状の動きを可能にする。矢印「Ｃ」の方向への作動機構１３０の前進は、ボールバルブ１２２の回転を引き起こすことにより、ボールバルブ１２２の経路１２３とバルブハウジング１１０の内部通路１１３との整列していない状態をもたらす。臨床医が解放部材１３８を解放するとき、付勢部材１４０は、第２の区画１３６から間隔の空いた本来の位置に戻るように解放部材１３８を付勢する。
【００２９】
図４Ａおよび４Ｂを参照すると、作動機構１３０の継続する前進は、ボールバルブ１２２のステム１２４の直線状の動きを引き起こし、この直線状の動きが、ボールバルブ１２２の経路１２３およびバルブハウジング１１０の内部通路１１３が完全に整列せず、内部通路１１３が全体的にボールバルブ１２２によって閉塞されるまで、ボールバルブ１２２の継続した回転をもたらす。この閉位置または第２位置において、ロック部材１３２の第１の区画１３４の向かい合う係合表面１３４ｂは、カンチレバー１１９の外側第２端部１１９ｂを係合する。この態様において、作動機構１３０は、第２位置または閉位置において、ハウジング１１０の窪み部分１１７内にロックされる。バルブアセンブリ１００は、解放部材１３８を押すことと、反対の方向に作動機構１３０を前進させることとによって再開放され得る。
【００３０】
ここで図５−８を参照すると、本開示に従うバルブアセンブリの実施形態は、概してバルブアセンブリ２００として示される。バルブアセンブリ２００はバルブアセンブリ１００と実質的に類似の形態および機能であり、それらの差異に関してのみ説明される。類似の参照数字は、類似の構造を描く。バルブアセンブリ２００は、ハウジング上部２１２ａおよびハウジング下部２１２ｂとして形成されるハウジング２１０を含む。バルブアセンブリ２００は、解放部材２３８を有する作動機構２３０をさらに含む。作動機構２３０は、ロック部材２３２の解放部材２３８と第２の区画２３６との間に付勢部材を含まない。この態様において、解放部材２３０は、解放部材２３８の接触表面２３８ｂがカンチレバー部材２１８、２１９の外側第２端部２１８ｂ、２１９ｂと係合していないとき、ロック部材２３２の第１の区画２３４と第２の区画２３６との間でゆるく保持される（図７）。しかしながら、作動機構２３０が、第１の開位置（図５）または第２の閉位置（図７）のいずれかにあるとき、カンチレバー部材２１８、２１９のそれぞれの外側第２端部２１８ｂ、２１９ｂは、解放部材２３８の接触表面２３８ｂを係合して、第２の区画２３６から離れるように解放部材２３８を付勢する。この態様において、解放部材２３８は、作動機構２３０が第１位置または第２位置にロックされているか、あるいは代わりに中間位置にあるかの視覚的な指示を臨床医に提供する。
【００３１】
本開示の例示的な実施形態が添付の図面を参照して本明細書に説明されてきたが、本開示がそれらの正確な実施形態に限定されないことと、さまざまな他の変更または修正が、本開示の範囲または精神から逸脱することなしに、当業者によって、実施形態において実行され得ることとが理解されるべきである。例えば、作動機構１３０が電気的モータまたはスライドによる自動作動に対して構成され得ることが想定される。この態様において、作動機構１３０は、手動で解放部材１３８を押すことと、手動で作動機構１３０を前進させることとを行う必要なしに、臨床医によって自動的に作動され得る。さらに、作動機構１３０は、遠隔作動に対して構成され得る。
【符号の説明】
【００３２】
５  カテーテルアセンブリ
６  シャフト
１０、１２  管状延長部
１１、１３  コネクタ
１００、１００ａ  バルブアセンブリ
１１０  バルブハウジング
１２０  バルブ部材
１３０  作動機構
【図１】
2010082456.tif 000003
【図２Ａ】
2010082456.tif 000004
【図２Ｂ】
2010082456.tif 000005
【図３】
2010082456.tif 000006
【図４Ａ】
2010082456.tif 000007
【図４Ｂ】
2010082456.tif 000008
【図５】
2010082456.tif 000009
【図６】
2010082456.tif 000010
【図７】
2010082456.tif 000011
【図８】
2010082456.tif 000012